(57)【要約】【課題】サービスエリア内外を問わずトランシーバが機能するようにする。【解決手段】一定の近距離範囲内に他の携帯電話装置１１ａ，１１ｂやハンズフリー装置が存在するか否かを近距離判定回路１２ａ，１２ｂで判定し、近距離範囲内に存在していれば、トランシーバ型通信回路１３ａ，１３ｂで直接にトランシーバとして通信する一方、近距離範囲内に存在していなければ、携帯電話型通信回路１５ａ，１５ｂやハンズフリー回路部が機能することにより、携帯電話基地局１４を介して通信する。近距離通信の場合には、携帯電話基地局１４を介する際に課金される通信料金を節約することが可能となる。【選択図】　　　　図１
2004056268.tif 000002
【特許請求の範囲】
【請求項１】
一定の近距離範囲内に他の携帯電話装置が存在しているか否かを判定する近距離判定手段と、
前記近距離判定手段において前記近距離範囲内に他の携帯電話装置が存在していると判断された場合に当該他の携帯電話装置と直接に近距離通信を行うトランシーバ型通信手段と、
前記近距離判定手段において前記近距離範囲内に他の携帯電話装置が存在していないと判断された場合に所定の携帯電話基地局を介して当該他の携帯電話装置と通信を行う携帯電話型通信手段と
を備える携帯電話装置。
【請求項２】
請求項１に記載の携帯電話装置であって、
前記近距離判定手段において前記近距離範囲内に他の携帯電話装置が存在していないと判断された場合に、所定の警告を行う警告手段をさらに備える携帯電話装置。
【請求項３】
移動体に搭載されて手を使うことなく通話を行うためのハンズフリー装置であって、
一定の近距離範囲内に他のハンズフリー装置が存在しているか否かを判定する近距離判定手段と、
前記近距離判定手段において前記近距離範囲内に他のハンズフリー装置が存在していると判断された場合に当該他のハンズフリー装置と直接に近距離通信を行うトランシーバ型通信手段と、
携帯電話装置に接続可能とされ、前記近距離判定手段において前記近距離範囲内に他のハンズフリー装置が存在していないと判断された場合に、携帯電話装置を利用して所定の携帯電話基地局を介して当該他のハンズフリー装置と通信を行うハンズフリー回路部と
を備えるハンズフリー装置。
【請求項４】
請求項３に記載のハンズフリー装置であって、
前記近距離判定手段において前記近距離範囲内に他のハンズフリー装置が存在していないと判断された場合に、所定の警告を行う警告手段をさらに備えるハンズフリー装置。
【発明の詳細な説明】
【０００１】
【発明の属する技術分野】
この発明は、携帯電話装置及びハンズフリー装置に関する。
【０００２】
【従来の技術】
元来、携帯電話装置間での通信においては、通信事業者の基地局を介在しなければならない。したがって、携帯電話装置の基本的機能としては、サービスエリア内においては相互の通話が可能であるが、サービスエリア外での通話が不可能であった。このような携帯電話装置を、例えば走行中の自動車内で運転者以外の乗員がその基本的な機能を使用する場合、サービスエリア外においては通話を行うことができず、不便である。また、かかる携帯電話装置を例えばハンズフリー装置に接続して使用する場合も同様な不便さがある。
【０００３】
このことを考慮し、例えば特開平１１−８８９５９号公報（従来技術１）には、図７に示すように、携帯電話装置Ｋがサービスエリア内にあるか否かをサービスエリア判定回路１で判定し、サービスエリア内であれば、携帯電話型通信回路２が動作して基地局３の中継により通話を行う一方、サービスエリア外であれば、トランシーバ型通信回路４により、利用者が資格を必要としない小電力型の通信方式で基地局３を介在させずにトランシーバとして通信を行う技術が公開されている。
【０００４】
【発明が解決しようとする課題】
上記した従来技術１では、携帯電話のサービスエリア外でしかトランシーバ型通信回路４が動作せず、この範囲内でしか携帯電話装置Ｋをトランシーバとして使用することができない。
【０００５】
尚、ＰＨＳ（Ｐｅｒｓｏｎａｌ　Ｈａｎｄｙｐｈｏｎｅ　Ｓｙｓｔｅｍ）においては、サービスエリア内外を問わず、基地局を介さずにトランシーバ型通信を行うことができるが、このＰＨＳの場合は、基地局を介した通話とトランシーバ型通信とを切り替えるために、押しボタン等の所定の操作を行う必要があり、かかる操作に手間取ることから、例えば走行中の自動車内で使用する場合などには適していない。
【０００６】
そこで、この発明の課題は、サービスエリア内外を問わずトランシーバ機能を持たせることによって、近距離範囲内での通話において課金されずに通話を行うことができる携帯電話装置及びハンズフリー装置を提供することにある。
【０００７】
【課題を解決するための手段】
上記課題を解決すべく、請求項１に記載の発明は、一定の近距離範囲内に他の携帯電話装置が存在しているか否かを判定する近距離判定手段と、前記近距離判定手段において前記近距離範囲内に他の携帯電話装置が存在していると判断された場合に当該他の携帯電話装置と直接に近距離通信を行うトランシーバ型通信手段と、前記近距離判定手段において前記近距離範囲内に他の携帯電話装置が存在していないと判断された場合に所定の携帯電話基地局を介して当該他の携帯電話装置と通信を行う携帯電話型通信手段とを備えるものである。
【０００８】
請求項２に記載の発明は、請求項１に記載の携帯電話装置であって、前記近距離判定手段において前記近距離範囲内に他の携帯電話装置が存在していないと判断された場合に、所定の警告を行う警告手段をさらに備えるものである。
【０００９】
請求項３に記載の発明は、移動体に搭載されて手を使うことなく通話を行うためのハンズフリー装置であって、一定の近距離範囲内に他のハンズフリー装置が存在しているか否かを判定する近距離判定手段と、前記近距離判定手段において前記近距離範囲内に他のハンズフリー装置が存在していると判断された場合に当該他のハンズフリー装置と直接に近距離通信を行うトランシーバ型通信手段と、携帯電話装置に接続可能とされ、前記近距離判定手段において前記近距離範囲内に他のハンズフリー装置が存在していないと判断された場合に、携帯電話装置を利用して所定の携帯電話基地局を介して当該他のハンズフリー装置と通信を行うハンズフリー回路部とを備えるものである。
【００１０】
請求項４に記載の発明は、請求項３に記載のハンズフリー装置であって、前記近距離判定手段において前記近距離範囲内に他のハンズフリー装置が存在していないと判断された場合に、所定の警告を行う警告手段をさらに備えるものである。
【００１１】
【発明の実施の形態】
｛第１の実施の形態｝
図１はこの発明の第１の実施の形態に係る携帯電話装置１１ａ，１１ｂ同士が通話を行っている様子を示すブロック図である。この携帯電話装置１１ａ，１１ｂは、図１の如く、携帯電話装置１１ａが通話相手となる携帯電話装置１１ｂに電話をかける際に、まず近距離判定回路（近距離判定手段）１２ａを用いて通話相手となる携帯電話装置１１ｂが近距離範囲内にあるか否かの判定を行い、通話相手の携帯電話装置１１ｂが近距離範囲内にあれば、両携帯電話装置１１ａ，１１ｂのトランシーバ型通信回路（トランシーバ型通信手段）１３ａ，１３ｂ同士の通信により、利用者が資格を必要としない小電力型の通信方式で携帯電話基地局１４を介在させずにトランシーバとして通信を行う一方、通話相手の携帯電話装置１１ｂが近距離範囲外にあれば、両携帯電話装置１１ａ，１１ｂの携帯電話型通信回路（携帯電話型通信手段）１５ａ，１５ｂが動作して携帯電話基地局１４の中継により通話を行う。
【００１２】
即ち、各携帯電話装置１１ａ，１１ｂは、図２の如く、他の同機種の携帯電話装置１１ａ，１１ｂが近距離範囲内にあるか否かを判定する近距離判定回路１２ａ，１２ｂと、利用者が資格を必要としない小電力型の通信方式で基地局１４を介在させずにトランシーバとして通信を行うトランシーバ型通信回路１３ａ，１３ｂと、携帯電話基地局１４の中継により通話を行う携帯電話型通信回路１５ａ，１５ｂと、話者の音声を入力するためのマイクロフォン装置等の音声入力手段１６と、通話相手の音声を出力するスピーカ等の音声出力手段１７と、通話相手の携帯電話装置１１ａ，１１ｂが近距離範囲内にある場合に近距離判定回路１２ａ，１２ｂの切替制御に基づいてトランシーバ型通信回路１３ａ，１３ｂを音声入力手段１６及び音声出力手段１７に接続する一方、通話相手の携帯電話装置１１ｂが近距離範囲内にない場合に、近距離判定回路１２ａ，１２ｂの切替制御に基づいて携帯電話型通信回路１５ａ，１５ｂを音声入力手段１６及び音声出力手段１７に接続するスイッチ回路１８と、通話相手の携帯電話装置１１ｂが近距離範囲内にない場合に近距離判定回路１２ａ，１２ｂの制御に基づいて音声出力手段１７に警報信号を出力する警告手段１９とを備える。
【００１３】
近距離判定回路１２ａ，１２ｂは、例えばＢｌｕｅｔｏｏｔｈ（登録商標）、超音波センサ、電波信号送受信または赤外線通信（Ｉｒｄａ）等のような近距離無線通信機能を有し、かかる近距離無線通信機能により周囲の一定の近距離範囲内に他の携帯電話装置１１ａ，１１ｂが存在しているか否かを検出判定する。
【００１４】
そして、この近距離判定回路１２ａ，１２ｂは、近距離範囲内に他の携帯電話装置１１ａ，１１ｂが存在していると判定したときに、スイッチ回路１８の切替制御を通じてトランシーバ型通信回路１３ａ，１３ｂを音声入力手段１６及び音声出力手段１７に接続する一方、近距離範囲内に他の携帯電話装置１１ａ，１１ｂが存在していないと判定したときに、スイッチ回路１８の切替制御を通じて携帯電話型通信回路１５ａ，１５ｂを音声入力手段１６及び音声出力手段１７に接続する。
【００１５】
この近距離判定回路１２ａ，１２ｂの近距離範囲内の他の携帯電話装置１１ａ，１１ｂの存在検出判定は、電話の発呼が行われる場合に実施され、また、既に通話が開始されている状態においても、例えば数秒毎に間欠的に実行され、この携帯電話装置１１ａ，１１ｂが一定距離を移動するたびに、その携帯電話装置１１ａ，１１ｂの近距離範囲内に他の携帯電話装置１１ａ，１１ｂが存在しているか否かを常時検出判定するようになっている。
【００１６】
トランシーバ型通信回路１３ａ，１３ｂは、所定の周波数で小電力型の通信を行うもので、音声入力手段１６で音電変換された電気信号を無線電波として送信する送信回路と、無線電波を受信して電気信号として音声出力手段１７に出力する受信回路（いずれも図示省略）を備えた一般的なものが使用され、スイッチ回路１８により音声入力手段１６及び音声出力手段１７に接続された場合に、携帯電話装置１１ａ，１１ｂがトランシーバとして機能するようになっている。
【００１７】
携帯電話型通信回路１５ａ，１５ｂは、ＣＤＭＡ方式またはＴＤＭＡ方式により音声データを圧縮して通信を行う一般的なものが使用され、スイッチ回路１８により音声入力手段１６及び音声出力手段１７に接続された場合に、携帯電話装置１１ａ，１１ｂが本来の携帯電話装置として機能するようになっている。
【００１８】
音声入力手段１６は、入力される音声を電気信号に変換する一般的なマイクロフォン装置等が適用され、この音声に係る電気信号を、トランシーバ型通信回路１３ａ，１３ｂ及び携帯電話型通信回路１５ａ，１５ｂのうちのスイッチ回路１８によって切り替えられた側に対して出力する。
【００１９】
音声出力手段１７は、トランシーバ型通信回路１３ａ，１３ｂ及び携帯電話型通信回路１５ａ，１５ｂのうちのスイッチ回路１８によって切り替えられた側から与えられる電気信号を音声に変換する一般的なスピーカ等が使用される。
【００２０】
警告手段１９は、近距離判定回路１２ａ，１２ｂが一定の近距離範囲内に他の同機種の携帯電話装置１１ａ，１１ｂが存在していないと判定した場合に、電子音等の電気信号を音声出力手段１７に出力する。
【００２１】
上記携帯電話装置１１ａ，１１ｂの動作を図３のフローチャートに沿って説明する。尚、トランシーバ型通信回路１３ａ，１３ｂ及び携帯電話型通信回路１５ａ，１５ｂのいずれも駆動がオンの状態になっている。したがって、他の携帯電話装置１１ａ，１１ｂからトランシーバとしての無線信号により通話呼び出しがかかると、受信側においてはそのままトランシーバ型通信回路１３ａ，１３ｂが機能してトランシーバ同士の通話が開始される一方、他の携帯電話装置１１ａ，１１ｂから携帯電話基地局１４を介して携帯電話としての無線信号により通話呼び出しがかかると、受信側においてはそのまま携帯電話型通信回路１５ａ，１５ｂが機能して本来の携帯電話同士の通話が開始されるようになる。
【００２２】
具体的に、まず図３中のステップＳ０１において、一方の携帯電話装置１１ａが他の携帯電話装置１１ｂに電話をかけると、ステップＳ０２で、携帯電話装置１１ａ内の近距離判定回路１２ａは、一定の近距離範囲内に他の携帯電話装置１１ｂが存在しているか否かを検出判定する。
【００２３】
このステップＳ０２での判定結果において、近距離範囲内に他の携帯電話装置１１ｂが存在していると判断した場合はステップＳ０３に進む。
【００２４】
ステップＳ０３では、近距離判定回路１２ａでのスイッチ回路１８の切替制御により、トランシーバ型通信回路１３ａが音声入力手段１６及び音声出力手段１７に接続される。この場合、携帯電話装置１１ａ，１１ｂはトランシーバとして機能するため、通話者は、トランシーバ型通信回路１３ａを通じて通話相手の携帯電話装置１１ｂに接続する。
【００２５】
この際、通話相手の携帯電話装置１１ｂでは、発信元の携帯電話装置１１ｂのトランシーバ型通信回路１３ａからの信号を受信し、これに応じて受信側のトランシーバ型通信回路１３ｂが機能し、両携帯電話装置１１ａ，１１ｂ間でトランシーバとしての通話が行われる（ステップＳ０５）。
【００２６】
また、ステップＳ０２での判定結果において、近距離範囲内に他の携帯電話装置１１ｂが存在していない（即ち、他の携帯電話装置１１ｂが遠距離にしか存在していない）と判断した場合は、警告手段１９を通じて音声出力手段１７から電子音等の警告音を発した後、ステップＳ０４に進む。
【００２７】
ステップＳ０４では、近距離判定回路１２ａでのスイッチ回路１８の切替制御により、携帯電話型通信回路１５ａが音声入力手段１６及び音声出力手段１７に接続される。この場合、携帯電話装置１１ａ，１１ｂは本来の携帯電話として機能し、通話者は、携帯電話型通信回路１５ａから携帯電話基地局１４を通じて通話相手の携帯電話装置１１ｂに接続する。
【００２８】
この際、通話相手の携帯電話装置１１ｂでは、発信元の携帯電話装置１１ｂの携帯電話型通信回路１５ａからの信号を受信し、これに応じて受信側の携帯電話型通信回路１５ｂが機能し、両携帯電話装置１１ａ，１１ｂ間で本来の携帯電話としての通話が行われる（ステップＳ０５）。
【００２９】
このようにして通話が行われた後、ステップＳ０６において通話が終了するかどうかが判断され、通話が終了しない場合はステップＳ０２〜ステップＳ０５の処理が一定時間毎に繰り返される。この場合、通話者が移動しても、一定時間毎にステップＳ０２の近距離判定が行われるので、両方の通話者間の距離に応じて、一定時間毎にトランシーバ機能と携帯電話機能とが適切に切り替わる。したがって、途中で通話が断たれる事態が防止される。
【００３０】
そして、ステップＳ０６において通話が終了した時点で通話者は電話を切る。
【００３１】
このように、近距離間の通話においては携帯電話基地局１４を介さずに通話できるので、携帯電話基地局１４を介する際に課金される通信料金を節約することが可能となる。
【００３２】
また、近距離範囲内に他の携帯電話装置１１ａ，１１ｂが存在していない場合に、携帯電話基地局１４を通じて通話を行うために課金がなされる旨を、警告手段１９による警告により通話者が認識できるので便利である。
【００３３】
｛第２の実施の形態｝
図４及び図５はこの発明の第２の実施の形態に係るハンズフリー装置２１ａ，２１ｂを使用した通信動作を示すブロック図、図６はそのハンズフリー装置２１ａ，２１ｂを示すブロック図である。
【００３４】
図４及び図５の如く、この実施の形態のハンズフリー装置２１ａ，２１ｂは、自動車等に搭載されて手を使わずに通話を行うものであって、第１の実施の形態で説明した携帯電話装置１１ａ，１１ｂと同様に、一のハンズフリー装置２１ａが通話相手となるハンズフリー装置２１ｂに電話をかける際に、まず近距離判定回路２２ａを用いて通話相手となるハンズフリー装置２１ｂが近距離範囲内にあるか否かの判定を行い、通話相手のハンズフリー装置２１ｂが近距離範囲内にあれば、両ハンズフリー装置２１ａ，２１ｂのトランシーバ型通信回路２３ａ，２３ｂ同士の通信により携帯電話基地局１４を介在させずにトランシーバとして通信を行う一方、通話相手のハンズフリー装置２１ｂが近距離範囲外にあれば、両ハンズフリー装置２１ａ，２１ｂのハンズフリー回路部２５ａ，２５ｂが動作して携帯電話基地局１４の中継により通話を行う。
【００３５】
即ち、各ハンズフリー装置２１ａ，２１ｂは、図６の如く、他の同機種のハンズフリー装置２１ａ，２１ｂが近距離範囲内にあるか否かを判定する近距離判定回路２２ａ，２２ｂと、利用者が資格を必要としない小電力型の通信方式で基地局１４を介在させずにトランシーバとして通信を行うトランシーバ型通信回路２３ａ，２３ｂと、携帯電話装置３１ａ，３１ｂを通じて外部との通話を行うハンズフリー回路部２５ａ，２５ｂと、話者の音声を入力するためのマイクロフォン装置等の音声入力手段２６と、通話相手の音声を出力するスピーカ等の音声出力手段２７と、通話相手のハンズフリー装置２１ｂが近距離範囲内にある場合に近距離判定回路２２ａ，２２ｂの切替制御に基づいてトランシーバ型通信回路２３ａ，２３ｂを音声入力手段２６及び音声出力手段２７に接続する一方、通話相手のハンズフリー装置２１ｂが近距離範囲内にない場合に、近距離判定回路２２ａ，２２ｂの切替制御に基づいてハンズフリー回路部２５ａ，２５ｂを音声入力手段２６及び音声出力手段２７に接続するスイッチ回路２８と、通話相手のハンズフリー装置２１ｂが近距離範囲内にない場合に近距離判定回路２２ａ，２２ｂの制御に基づいて音声出力手段２７に警報信号を出力する警告手段２９とを備える。
【００３６】
近距離判定回路２２ａ，２２ｂは、第１の実施の形態の近距離判定回路１２ａ，１２ｂと同様のものが使用され、近距離範囲内に他のハンズフリー装置２１ａ，２１ｂが存在していると判定したときに、スイッチ回路２８の切替制御を通じてトランシーバ型通信回路２３ａ，２３ｂを音声入力手段２６及び音声出力手段２７に接続する一方、近距離範囲内に他のハンズフリー装置２１ａ，２１ｂが存在していないと判定したときに、スイッチ回路２８の切替制御を通じてハンズフリー回路部２５ａ，２５ｂを音声入力手段２６及び音声出力手段２７に接続する。
【００３７】
トランシーバ型通信回路２３ａ，２３ｂは、第１の実施の形態のトランシーバ型通信回路１３ａ，１３ｂと同様であるため、その説明を省略する。
【００３８】
ハンズフリー回路部２５ａ，２５ｂは、クレードル等のアダプタを通じて携帯電話装置３１ａ，３１ｂに接続可能とされたり、あるいはハンズフリー回路部２５ａ，２５ｂがそれぞれ携帯電話装置３１ａ，３１ｂとＢｌｕｅｔｏｏｔｈ（登録商標）またはＩｒｄａのような近距離無線通信技術（図示省略）を用いて接続可能とされ、この携帯電話装置３１ａ，３１ｂの通信方式を通信プロトコルとして、携帯電話基地局１４を通じて通話を行うものである。
【００３９】
音声入力手段２６及び音声出力手段２７は、車室内の所定位置にそれぞれ配置され、自動車の運転者を含む乗員が手で持つことなく通話を行うようにされている。
【００４０】
かかる構成のハンズフリー装置２１ａ，２１ｂにおいても、第１の実施の形態と同様に、一定の近距離範囲内に他のハンズフリー装置２１ａ，２１ｂが存在している場合には、図４及び図５のように、トランシーバ型通信回路２３ａ，２３ｂが機能して、携帯電話基地局１４を介さずに、トランシーバとしての通信が行われる。一方、一定の近距離範囲内に他のハンズフリー装置２１ａ，２１ｂが存在していない場合には、図４のように、ハンズフリー装置２１ａ，２１ｂが携帯電話装置３１ａ，３１ｂ及び携帯電話基地局１４を通じて通話することで、携帯電話としての通信が行われる。
【００４１】
したがって、近距離間の通話においては携帯電話基地局１４を介さずに通話できるので、携帯電話基地局１４を介する際に課金される通信料金を節約することが可能となる。
【００４２】
また、通話を希望する者が携帯電話装置３１ａ，３１ｂを所持していない場合であって、通話相手が一定の近距離範囲内に存在している場合には、図５のように、携帯電話装置３１ａ，３１ｂを使用しなくても通話を行うことができ、便利である。
【００４３】
尚、上記実施の形態では、通話の場合を例に挙げて説明したが、電子メール等のデータ通信をトランシーバ型の通信によって実行することが可能な場合であれば、このようなデータ通信をもトランシーバ型の通信と携帯電話型の通信とを切り分けて実行するようにしてもよい。
【００４４】
【発明の効果】
請求項１及び請求項３に記載の発明によれば、近距離間の通話においては携帯電話基地局を介さずにトランシーバ型の通信を実行できるので、携帯電話基地局を介する際に課金される通信料金を節約することが可能となる。また、通信相手が近距離範囲内に存在していない場合には、携帯電話基地局を通じて課金により通信を行うことができる。
【００４５】
そして、請求項３に記載の発明によれば、通信を希望する者が携帯電話装置を所持していない場合であって、通信相手が一定の近距離範囲内に存在している場合には、携帯電話装置を使用しなくても、ハンズフリー装置内のトランシーバ型通信手段を用いて通信を行うことができ、便利である。
【００４６】
請求項２及び請求項４に記載の発明によれば、近距離範囲内に他の携帯電話装置や他のハンズフリー装置が存在していない場合に、携帯電話基地局を通じて通話を行うために課金がなされる旨を、警告手段による警告により通信者が認識できるので便利である。
【図面の簡単な説明】
【図１】この発明の第１の実施の形態に係る携帯電話装置を使用した通信動作を示すブロック図である。
【図２】この発明の第１の実施の形態に係る携帯電話装置を示すブロック図である。
【図３】この発明の第１の実施の形態に係る携帯電話装置の動作を示すフローチャートである。
【図４】この発明の第２の実施の形態に係るハンズフリー装置を使用した通信動作を示すブロック図である。
【図５】この発明の第２の実施の形態に係るハンズフリー装置を使用した通信動作を示すブロック図である。
【図６】この発明の第２の実施の形態に係るハンズフリー装置を示すブロック図である。
【図７】従来技術１の携帯電話装置による通信動作を示すブロック図である。
【符号の説明】
１１ａ，１１ｂ，３１ａ，３１ｂ　携帯電話装置
１２ａ，１２ｂ，２２ａ，２２ａ　近距離判定回路
１３ａ，１３ｂ，２３ａ，２３ｂ　トランシーバ型通信回路
１４　携帯電話基地局
１５ａ，１５ｂ　携帯電話型通信回路
１６，２６　音声入力手段
１７，２７　音声出力手段
１８，２８　スイッチ回路
１９，２９　警告手段
２１ａ，２１ｂ　ハンズフリー装置
２５ａ，２５ｂ　ハンズフリー回路部
【図１】
2004056268.tif 000003
【図２】
2004056268.tif 000004
【図３】
2004056268.tif 000005
【図４】
2004056268.tif 000006
【図５】
2004056268.tif 000007
【図６】
2004056268.tif 000008
【図７】
2004056268.tif 000009